(57)【要約】      （修正有）【課題】部屋内の換気を可能としつつ対面者への飛沫の飛散を防止できるパーテーション用飛沫跳返し具を提供する。【解決手段】パーテーション用飛沫跳返し具Ａは、既設パーテーションの遮蔽板に着脱自在に取付けられる取付け部ａ１と、垂直線に対し傾斜した跳返し板ａ２とからなる。取付け部ａ１は、遮蔽板の上端縁に差し込むための隙間をあけて配置された２枚の下方板部１１からなる。跳返し板ａ２は両方に傾斜している。跳返し板ａ２が傾斜していることによって話者からの飛沫を跳ね返せるので対面者の飛沫感染を防止しやすくなり、取付け部ａ１によって自在に遮蔽板に取付けられるので、既設パーテーションの飛沫防止効果を高めることができる。しかも、パーテーション自体を過度に高くする必要がないので、部屋内の換気性も確保できる。【選択図】図１
0003233897.tif 000002
【実用新案登録請求の範囲】
【請求項１】
既設パーテーションの遮蔽板に着脱自在に取付けられる取付け部と、垂直線に対し傾斜した跳返し板とからなる
ことを特徴とするパーテーション用飛沫跳返し具。
【請求項２】
前記取付け部は、前記遮蔽板の上端縁に差し込むための隙間をあけて配置された２枚の板材からなる
ことを特徴とする請求項１記載のパーテーション用飛沫跳返し具。
【請求項３】
前記跳返し板は取付け部を中心にして両方に傾斜している
ことを特徴とする請求項１記載のパーテーション用飛沫跳返し具。
【請求項４】
前記跳返し板の垂直線に対する傾斜角は、１０〜６０°である
ことを特徴とする請求項１記載のパーテーション用飛沫跳返し具。
【考案の詳細な説明】
【技術分野】
【０００１】
本考案は、パーテーション用飛沫跳返し具に関する。さらに詳しくは、パーテーション等に追加して取付け可能なパーテーション用飛沫跳返し具に関する。
【背景技術】
【０００２】
飛沫感染の防止には人の口から放出される飛沫を遮蔽するパーテーションの使用が有効であり、特許文献１〜３ほか多数の従来技術がある。
【０００３】
従来技術のパーテーションの代表的な構造は、図５に示すように、遮蔽板１を台２で支えたものである。遮蔽板１の大きさは様々であって、床用もあり机上のものもある。いずれも共通して遮蔽板１は垂直に立てられている。
このため、発話中の人の口から飛散する飛沫は遮蔽板１で遮ることができる。しかし、飛沫が勢い良く飛散すると遮蔽板１の上縁を越えて対面者に到達することがある。
この場合、パーテーションの高さを高くすれば、飛沫の遮蔽は効果的となる。しかしながら一方では高さの高い遮蔽板１では空気の滞留が生じやすく部屋内の換気が悪くなる。
【先行技術文献】
【特許文献】
【０００４】
【特許文献１】実用新案登録第３２３０６５０号公報
【特許文献２】実用新案登録第３２２８２２６号公報
【特許文献３】実用新案登録第３２２８８２３号公報
【考案の概要】
【考案が解決しようとする課題】
【０００５】
本考案は上記事情に鑑み、部屋内の換気を可能としつつ対面者への飛沫の飛散を防止できるパーテーション用飛沫跳返し具を提供することを目的とする。
【課題を解決するための手段】
【０００６】
第１考案のパーテーション用飛沫跳返し具は、既設パーテーションの遮蔽板に着脱自在に取付けられる取付け部と、垂直線に対し傾斜した跳返し板とからなることを特徴とする。
第２考案のパーテーション用飛沫跳返し具は、第１考案において、前記取付け部は、前記遮蔽板の上端縁に差し込むための隙間をあけて配置された２枚の板材からなることを特徴とする。
第３考案のパーテーション用飛沫跳返し具は、第１考案において、前記跳返し板は取付け部を中心にして両方に傾斜していることを特徴とする。
第４考案のパーテーション用飛沫跳返し具は、第１考案において、前記跳返し板の垂直線に対する傾斜角は、１０〜６０°であることを特徴とする。
【考案の効果】
【０００７】
第１考案によれば、跳返し板が傾斜していることによって話者からの飛沫を跳ね返せるので対面者の飛沫感染を防止しやすくなり、取付け部によって自在に遮蔽板に取付けられるので、既設パーテーションの飛沫防止効果を高めることができる。しかも、パーテーション自体を過度に高くする必要がないので、部屋内の換気性も確保できる。
第２考案によれば、取付け部を遮蔽板の上端縁に差し込むだけで、既設パーテーションに飛沫跳返具を簡単に取付けることができる。
第３考案によれば、跳返し板はパーテーション越しに対面する２人の話者の双方に向いて傾斜するので、対話者双方の飛沫感染防止に効果を発揮する。
第４考案によれば、傾斜角に過不足がないので飛沫の跳ね返しに効果的であると共に空気の滞留も生じさせることがない。
【図面の簡単な説明】
【０００８】
【図１】本考案の一実施形態に係る飛沫跳返し具Ａの斜視図である。
【図２】図１に示す飛沫跳返し具Ａの説明図であって、（Ａ）は正面図、（Ｂ）は側面図である。
【図３】本考案の飛沫跳返し具Ａを取付けたパーテーションの説明図であって、（Ａ）は正面図、（Ｂ）は側面図である。
【図４】本考案の他の実施形態に係る飛沫跳返し具Ｂ，Ｃの斜視図である。
【図５】従来のパーテーションの説明図であり、（Ａ）は正面図、（Ｂ）は側面図である。
【考案を実施するための形態】
【０００９】
つぎに、本考案の実施形態を図面に基づき説明する。
図１および図２に基づき、本考案の一実施形態に係るパーテーション用飛沫跳返し具Ａ（以下、飛沫跳返し具Ａという）を説明する。
【００１０】
飛沫跳返し具Ａは、既設パーテーションの遮蔽板に着脱自在に取付けられる取付け部ａ１と、垂直線に対し傾斜した跳返し板ａ２とからなる。飛沫跳返し具Ａの材料は、透明性と強度の面からアクリル板が好ましい。なお、透明性と強度が保てるなら、他の材料、たとえばポリエチレン、ポリ塩化ビニール、ポリカーボネートなどであってもよい。
【００１１】
飛沫跳返し具Ａの基本構造は、２枚の板材１０，１０を貼り合わせた構造であり、板材１０，１０の下方板部１１が取付け部ａ１となり、上方板部１２が跳返し板ａ２となる。
【００１２】
取付け部ａ１は、板材１０の下方板部１１が間隔材１３を間に入れて接着やビス止めなどの手段で固定されたもので、下方板部１１，１１の間には隙間ｄがあいている。この隙間ｄは後述する遮蔽板の上端縁に差し込むための隙間である。
跳返し板ａ２は板材１０の上方板部１２，１２で構成されており、２枚の上方板部１２，１２が互いに反対向きに傾斜している。
【００１３】
前記跳返し板ａ２の垂直線に対する傾斜角Θは、１０〜６０°である。この傾斜角Θであると、傾斜に過不足がないので飛沫の跳ね返しに効果的である。
【００１４】
本実施形態では、図３に示すように、取付け部ａ１を遮蔽板１の上端縁に差し込むだけで、既設パーテーションＸに飛沫跳返具Ａを簡単に取付けることができる。
そして、跳返し板ａ２はパーテーション越しに対面する２人の話者の双方に向いて傾斜しているので、対話者双方の飛沫感染防止に効果を発揮する。
【００１５】
図４に基づき本考案の他実施形態を説明する。
同図の飛沫跳返し具Ｂは、上方板部１２に更に天板１４を付けたものである。天板１４の角度は床面に水平に近ければよい。
この実施形態であると、対話者側への飛沫の飛散をより効果的に防止できる。
【００１６】
図４の飛沫跳返し具Ｃは、取付け部ａ１を構成する下方板部１１の構成を、長方形の板ではなく、中央部分を除いて両側部１１ｂのみを残した形状をしたものである。なお、両側部１１ｂ，１１ｂを上方の連結部１１ａでつないだ形にしておくと強度確保に好ましい。
この実施形態は強度さえ充分であれば、軽量で扱いやすい飛沫跳返し具とすることができる。
【符号の説明】
【００１７】
１  遮蔽板
１０  板材
１１  下方板部
１２  上方板部
１３  間隔材
ａ１  取付け部
ａ２  跳返し板
Ａ  パーテーション用飛沫跳返し具
Ｂ  飛沫跳返し具
Ｃ  飛沫跳返し具
【図１】
0003233897.tif 000003
【図２】
0003233897.tif 000004
【図３】
0003233897.tif 000005
【図４】
0003233897.tif 000006
【図５】
0003233897.tif 000007